(57)【要約】  受信品質情報の総通知量を抑えながら、通信制御装置における適応変調および適応スケジューリングを効率的に行なう。少なくとも１つのサブキャリアからなる複数のチャネルのうち、通信相手によって割り当てられたチャネルで信号を受信し、受信した信号の受信品質を測定し、受信品質情報を前記通信相手に通知するマルチキャリア通信方式に適用される通信端末装置３００であって、各サブキャリアの受信品質を測定する受信品質測定部３０８と、前記通信相手に対する各チャネルの割り当て要求度を決定し、前記割り当て要求度に基づいてチャネル毎に受信品質情報を表すための情報量を選択し、前記測定した受信品質に基づいて、前記選択した情報量で表わされる前記受信品質情報を生成する受信品質情報生成部３０９と、を備える。
2009054264.tif 000002
【特許請求の範囲】
【請求項１】
少なくとも１つのサブキャリアからなる複数のチャネルのうち、通信相手によって割り当てられたチャネルで信号を受信し、受信した信号の受信品質を測定し、受信品質情報を前記通信相手に通知するマルチキャリア通信方式に適用される通信装置であって、
各サブキャリアの受信品質を測定する受信品質測定部と、
前記通信相手に対する各チャネルの割り当て要求度を決定し、前記割り当て要求度に基づいてチャネル毎に受信品質情報を表すための情報量を選択し、前記受信品質の測定結果に基づいて、前記選択した情報量で表わされる前記受信品質情報を生成する受信品質情報生成部と、を備えることを特徴とする通信装置。
【請求項２】
前記受信品質情報生成部は、
前記測定した受信品質に基づいて、前記通信相手に対する各チャネルの割り当て要求度を決定する要求度決定部と、
前記割り当て要求度に基づいてチャネル毎に受信品質情報を表すための情報量を選択し、各チャネルに属する少なくとも１つのサブキャリアからなるサブキャリアグループ毎に、前記受信品質の測定結果に基づいて、前記選択した情報量で表わされる前記受信品質情報を生成する選択生成部と、を備えることを特徴とする請求項１記載の通信装置。
【請求項３】
前記受信品質情報生成部は、各チャネルに属する全てのサブキャリアの受信品質測定結果の平均値、中央値、最頻値または最小値のいずれかを算出する受信品質平均部を備え、
前記要求度決定部は、前記平均値、中央値、最頻値または最小値の値が高いほど前記各チャネルの割り当て要求度を高くすることを特徴とする請求項２記載の通信装置。
【請求項４】
前記選択生成部は、前記割り当て要求度が高いチャネルほど、情報量の大きな受信品質情報を生成することを特徴とする請求項２または請求項３記載の通信装置。
【請求項５】
前記選択生成部は、前記割り当て要求度が高いチャネルほど、１つのサブキャリアグループ当りのビット数を大きくし、前記受信品質の測定結果を前記ビット数に応じて量子化した受信品質情報を生成することを特徴とする請求項４記載の通信装置。
【請求項６】
前記選択生成部は、前記受信品質情報として、予め定めた少なくとも１つのサブキャリアグループについては前記受信品質の測定結果を量子化した非差分受信品質情報を生成し、その他のサブキャリアグループについては、属するチャネルの割り当て要求度が高いほど、前記受信品質の測定結果の隣接するサブキャリアグループとの差分値を多くのビット数を用いて表した差分受信品質情報を生成することを特徴とする請求項４記載の通信装置。
【請求項７】
前記選択生成部は、前記受信品質情報として、前記各サブキャリアグループについて、前記受信品質の測定結果を量子化した非差分受信品質情報と、前記受信品質の測定結果の隣接サブキャリアグループとの差分値を表す差分受信品質情報とを生成し、
前記割り当て要求度が高いチャネルほど、前記非差分受信品質情報を生成するサブキャリアグループを多く選択することを特徴とする請求項４記載の通信装置。
【請求項８】
前記選択生成部は、前記差分受信品質情報を表わすビット数を、前記非差分受信品質情報を表すビット数よりも少なくすることを特徴とする請求項７記載の通信装置。
【請求項９】
少なくとも１つのサブキャリアからなる複数のチャネルの中から通信端末装置にチャネルを割り当てる通信制御装置と、前記通信制御装置によって割り当てられたチャネルで信号を受信し、受信した信号の受信品質を測定し、受信品質情報を前記通信制御装置に通知する通信端末装置とから構成されるマルチキャリア通信システムであって、
前記通信端末装置は、各サブキャリアの受信品質を測定し、前記通信制御装置に対する各チャネルの割り当て要求度を決定し、前記割り当て要求度に基づいてチャネル毎に受信品質情報を表すための情報量を選択し、各チャネルに属する少なくとも１つのサブキャリアからなるサブキャリアグループ毎に、前記受信品質の測定結果に基づいて、前記選択した情報量で表わされる前記受信品質情報を生成し、前記生成した受信品質情報を前記通信制御装置へ通知することを特徴とするマルチキャリア通信システム。
【請求項１０】
少なくとも１つのサブキャリアからなる複数のチャネルの中から通信端末装置にチャネルを割り当てる通信制御装置と、前記通信制御装置によって割り当てられたチャネルで信号を受信し、受信した信号の受信品質を測定し、受信品質情報を前記通信制御装置に通知する通信端末装置とから構成されるマルチキャリア通信システムの通信方法であって、
前記通信端末装置において、
各サブキャリアの受信品質を測定し、前記通信制御装置に対する各チャネルの割り当て要求度を決定し、
前記割り当て要求度に基づいてチャネル毎に受信品質情報を表すための情報量を選択し、
各チャネルに属する少なくとも１つのサブキャリアからなるサブキャリアグループ毎に、前記受信品質の測定結果に基づいて、前記選択した情報量で表わされる前記受信品質情報を生成し、
前記生成した受信品質情報を前記通信制御装置へ通知することを特徴とする通信方法。
【発明の詳細な説明】
【技術分野】
【０００１】
本発明は、受信信号から各チャネルの受信品質を測定し、その結果を通信相手に通知する通信装置、マルチキャリア通信システムおよび通信方法に関する。
【背景技術】
【０００２】
従来から、通信の効率、すなわち、システムのトータルスループットや、受信エラーの発生を勘案した実質的な伝送速度を改善する方法が検討されている。例えば、受信信号電力やＳＩＮＲ（Signal to Interference plus Noise power Ratio：受信信号電力対干渉および雑音電力比）等の伝搬路状態および受信品質を示す指標に基づいて、変調方式や、チャネル符号化率、誤り訂正符号化方式、拡散率、コード多重数、送信電力等の通信パラメータを、適応的に選択する方式が提案されている（非特許文献１）。特に、変調方式やチャネル符号化率などの変調パラメータを適応的に選択する方式は、適応変調方式と呼ばれている。【０００３】
また、基地局装置と複数の通信端末装置とから構成され、基地局装置から通信端末装置への通信（下りリンク）において、マルチキャリア通信を用いる通信システムでは、次のような方式が検討されている（非特許文献２、非特許文献３）。
（１）下りリンク信号の各通信端末装置における各チャネルの受信品質に応じて、チャネルを各通信端末装置に割り当てるスケジューリングを行なう。
（２）さらに、下りリンクに対して、１つのサブキャリアまたは幾つかのサブキャリアからなるチャネル毎に、適応変調を行なう。【０００４】
なお、通信端末装置の受信品質に基づいたスケジューリングや適応変調方式を採用した通信システムでは、割り当てや変調パラメータを決定するために、通信に使用するチャネルの受信信号電力やＳＩＮＲ等の伝搬路状態および受信品質を示す指標を通信相手に通知する必要がある。【０００５】
上記のようなシステムでは、各通信端末装置が各チャネルに関する受信品質情報を、上りリンクの制御チャネル等を用いて、基地局装置へ通知する必要がある。このため、上りリンクで伝送する受信品質情報の情報量が、通信端末装置数およびチャネル数に比例して膨大になるという問題があった。そして、上記問題を改善するために、上りリンクで伝送する受信品質情報の情報量の削減を目的とした手法が提案されている（特許文献１、特許文献２、非特許文献３、非特許文献４）。
（１）通信端末装置毎に、基地局装置が各通信端末装置に通信用として割り当てた全チャネルの受信品質を、各通信端末装置が測定して、全チャネルの受信品質の平均値のみを基地局装置へ通知する方法（第１の対策）。
（２）基地局装置が各通信端末装置に通信用として割り当てた全チャネルのうち、受信品質の良好なチャネルを、受信品質の良好な方から所定の数だけ選び、それらのチャネルの受信品質だけを基地局装置へ通知する方法（第２の対策）。
（３）基地局装置が各通信端末装置に通信用として割り当てた全チャネルの中から、幾つかの基準チャネルを選定し、各チャネルの受信品質の値を、基準チャネルの受信品質の差分値で表し、これを基地局装置へ通知する方法（第３の対策）。
【特許文献１】特開２００４−２０８２３４号公報
【特許文献２】特開２００６−５０５４５号公報
【非特許文献１】岸山他「下りリンクＶＳＦ−ＯＦＣＤＭブロードバンド無線アクセスにおける適応変復調・チャネル符号化のスループット特性の実験結果」、電子情報通信学会技術研究報告、２００３年５月、ＲＣＳ２００３−２５
【非特許文献２】前原他「サブキャリア適応変調を用いたＯＦＤＭ／ＴＤＤ伝送方式の検討」、２００１年電子情報通信学会総合大会、２００１年３月、Ｂ−５−１００、ｐ．４９８
【非特許文献３】「CQI report and scheduling procedure」、3GPP、TSG-RAN WG1 Meeting #42bis、R1-051045、2005年10月
【非特許文献４】「Sensitivity of DL/UL Performance to CQI-Compression with Text Proposal」、3GPP、TSG-RAN WG1 ad hoc meeting on LTE、R1-060228、2006年1月
【発明の開示】
【発明が解決しようとする課題】
【０００６】
しかしながら、上記の従来技術は、以下のような問題点が存在した。すなわち、第１の対策では、各チャネルの受信品質に応じた適応変調ができない。このため、平均値よりも受信品質の良いチャネルでは伝送速度が低くなりすぎて非効率となり、平均値よりも受信品質の悪いチャネルでは誤り率特性が劣化してしまう。また、伝搬路の周波数選択性を利用して、通信端末装置をそれぞれの受信品質が良好なチャネルに割り当てるスケジューリングができないため、システム全体での伝送効率が低下する。【０００７】
また、第２の対策のように、チャネルのうちで受信品質の良好なものを所定数だけ通知する方法では、複数の通信端末装置から通知された所定数の受信品質の良好なチャネルが重複してしまった場合に、スケジューリングの結果、受信品質を通知したチャネルが割り当てられない通信端末装置が発生する可能性がある。このとき、当該通信端末装置の他のチャネルの受信品質は全くわからないため、空きチャネルにおいて通信端末装置の受信品質に基づいたスケジューリングや適応変調を行なうことができず、伝送効率が低下してしまう。【０００８】
また、第３の対策では、受信品質が悪く、当該通信端末装置に割り当てられる可能性が低いチャネルに関しても、受信品質が良好で割り当てを希望するチャネルと同じ情報量を用いて受信品質情報を通知してしまうため、不必要に多くの情報量の通知が行なわれ非効率となることがあった。【０００９】
本発明は、このような事情に鑑みてなされたものであり、受信品質情報の総通知量を抑えながら、通信制御装置における適応変調および適応スケジューリングを効率的に行なうことを可能とする通信装置、マルチキャリア通信システムおよび通信方法を提供することを目的とする。
【課題を解決するための手段】
【００１０】
（１）上記の目的を達成するために、本発明は、以下のような手段を講じた。すなわち、本発明の通信装置は、少なくとも１つのサブキャリアからなる複数のチャネルのうち、通信相手によって割り当てられたチャネルで信号を受信し、受信した信号の受信品質を測定し、受信品質情報を前記通信相手に通知するマルチキャリア通信方式に適用される通信装置であって、各サブキャリアの受信品質を測定する受信品質測定部と、前記通信相手に対する各チャネルの割り当て要求度を決定し、前記割り当て要求度に基づいてチャネル毎に受信品質情報を表すための情報量を選択し、前記測定した受信品質に基づいて、前記選択した情報量で表わされる前記受信品質情報を生成する受信品質情報生成部と、を備えることを特徴としている。【００１１】
このように、割り当て要求度を決定し、その割り当て要求度に基づいてチャネル毎に受信品質情報を表すための情報量を選択し、測定した受信品質に基づいて、選択した情報量で表わされる受信品質情報を生成するので、受信品質情報の総情報量を抑えることができると共に、通信制御装置（例えば、基地局装置）における適応変調および適応スケジューリングを効率的に行なうことが可能となる。【００１２】
（２）また、本発明の通信装置において、前記受信品質情報生成部は、前記測定した受信品質に基づいて、前記通信相手に対する各チャネルの割り当て要求度を決定する要求度決定部と、前記割り当て要求度に基づいてチャネル毎に受信品質情報を表すための情報量を選択し、各チャネルに属する少なくとも１つのサブキャリアからなるサブキャリアグループ毎に、前記受信品質の測定結果に基づいて、前記選択した情報量で表わされる前記受信品質情報を生成する選択生成部と、を備えることを特徴としている。【００１３】
このように、割り当て要求度を決定し、その割り当て要求度に基づいてチャネル毎に受信品質情報を表すための情報量を選択し、各チャネルに属する少なくとも１つのサブキャリアからなるサブキャリアグループ毎に、受信品質の測定結果に基づいて、選択した情報量で表わされる前記受信品質情報を生成するので、受信品質情報の総情報量を抑えることができると共に、通信制御装置（例えば、基地局装置）における適応変調および適応スケジューリングを効率的に行なうことが可能となる。【００１４】
（３）また、本発明の通信装置において、前記受信品質情報生成部は、各チャネルに属する全てのサブキャリアの受信品質測定結果の平均値、中央値、最頻値または最小値のいずれかを算出する受信品質平均部を備え、前記要求度決定部は、前記平均値、中央値、最頻値または最小値の値が高いほど前記各チャネルの割り当て要求度を高くすることを特徴としている。【００１５】
このように、平均値、中央値、最頻値または最小値の値が高いほど各チャネルの割り当て要求度を高くするので、割り当て要求度が高いほど通信制御装置において効率的なスケジューリングおよび適応変調による高速な通信が可能となる。【００１６】
（４）また、本発明の通信装置において、前記選択生成部は、前記割り当て要求度が高いチャネルほど、情報量の大きな受信品質情報を生成することを特徴としている。【００１７】
このように、割り当て要求度が高いチャネルほど、情報量の大きな受信品質情報を生成するので、通信制御装置では、割り当て要求度が高いチャネルほど詳細な受信品質情報に基づいた効率的なスケジューリングおよび適応変調による高速な通信が可能となる。一方、割り当て要求度が低いチャネルほど、情報量の小さな受信品質情報を生成することによって、総情報量を抑えることができる。この場合、通信制御装置において、通信端末装置における割り当て要求度が低いチャネルを割り当てざるを得ない場合であっても、通信端末装置における粗い受信品質情報に基づいたスケジューリングおよび適応変調を行なうことが可能となるので、受信品質が良好でないチャネルの受信品質情報を全く通知しない場合のような伝送効率の低下を回避することが可能となる。【００１８】
（５）また、本発明の通信装置において、前記選択生成部は、前記割り当て要求度が高いチャネルほど、１つのサブキャリアグループ当りのビット数を大きくし、前記受信品質の測定結果を前記ビット数に応じて量子化した受信品質情報を生成することを特徴としている。【００１９】
このように、割り当て要求度が高いほど、１つのサブキャリアグループ当りのビット数を大きくし、受信品質の測定結果をビット数に応じて量子化した受信品質情報を生成するので、通信制御装置では、割り当て要求度が高いチャネルほど詳細な受信品質情報に基づいた効率的なスケジューリングおよび適応変調による高速な通信が可能となる。一方、割り当て要求度が低いチャネルほど、１つのサブキャリアグループ当りのビット数を小さくし、受信品質の測定結果をビット数に応じて量子化した受信品質情報を生成することによって、総ビット数を抑えることができる。この場合、通信制御装置において、通信端末装置における割り当て要求度が低いチャネルを割り当てざるを得ない場合であっても、通信端末装置における粗い受信品質情報に基づいたスケジューリングおよび適応変調を行なうことが可能となるので、受信品質が良好でないチャネルの受信品質情報を全く通知しない場合のような伝送効率の低下を回避することが可能となる。【００２０】
（６）また、本発明の通信装置において、前記選択生成部は、前記受信品質情報として、予め定めた少なくとも１つのサブキャリアグループについては前記受信品質の測定結果を量子化した非差分受信品質情報を生成し、その他のサブキャリアグループについては、属するチャネルの割り当て要求度が高いほど、前記受信品質の測定結果の隣接するサブキャリアグループとの差分値を多くのビット数を用いて表した差分受信品質情報を生成することを特徴としている。【００２１】
このように、受信品質情報として、予め定めた少なくとも１つのサブキャリアグループについては受信品質の測定結果を量子化した非差分受信品質情報を生成し、その他のサブキャリアグループについては、属するチャネルの割り当て要求度が高いほど、受信品質の測定結果の隣接するサブキャリアグループとの差分値を多くのビット数を用いて表した差分受信品質情報を生成するので、受信品質情報の総情報量を抑えることが可能となる。また、通信制御装置では、割り当て要求度が高いチャネルほど詳細な受信品質情報に基づいた効率的なスケジューリングおよび適応変調による高速な通信が可能となる。一方、割り当て要求度が低いチャネルほど、差分値を少ないビット数を用いて表した差分受信品質情報を生成するので、通信制御装置において、通信端末装置における割り当て要求度が低いチャネルを割り当てざるを得ない場合であっても、通信端末装置における粗い受信品質情報に基づいたスケジューリングおよび適応変調を行なうことが可能となるので、受信品質が良好でないチャネルの受信品質情報を全く通知しない場合のような伝送効率の低下を回避することが可能となる。【００２２】
（７）また、本発明の通信装置において、前記選択生成部は、前記受信品質情報として、前記各サブキャリアグループについて、前記受信品質の測定結果を量子化した非差分受信品質情報と、前記受信品質の測定結果の隣接サブキャリアグループとの差分値を表す差分受信品質情報とを生成し、前記割り当て要求度が高いチャネルほど、前記非差分受信品質情報を生成するサブキャリアグループを多く選択することを特徴としている。【００２３】
このように、受信品質情報として、各サブキャリアグループについて、受信品質の測定結果を量子化した非差分受信品質情報と、受信品質の測定結果の隣接サブキャリアグループとの差分値を表す差分受信品質情報とを生成し、割り当て要求度が高いチャネルほど、非差分受信品質情報を生成するサブキャリアグループを多く選択するので、受信品質情報の総情報量を抑えることが可能となる。また、通信制御装置では、割り当て要求度が高いチャネルほど詳細な受信品質情報に基づいた効率的なスケジューリングおよび適応変調による高速な通信が可能となる。一方、割り当て要求度が低いチャネルほど、非差分受信品質情報を生成するサブキャリアグループを少なくすることにより、通信制御装置において、通信端末装置における割り当て要求度が低いチャネルを割り当てざるを得ない場合であっても、通信端末装置における粗い受信品質情報に基づいたスケジューリングおよび適応変調を行なうことが可能となるので、受信品質が良好でないチャネルの受信品質情報を全く通知しない場合のような伝送効率の低下を回避することが可能となる。【００２４】
（８）また、本発明の通信装置において、前記選択生成部は、前記差分受信品質情報を表わすビット数を、前記非差分受信品質情報を表すビット数よりも少なくすることを特徴としている。【００２５】
このように、差分受信品質情報を表わすビット数を、前記非差分受信品質情報を表すビット数よりも少なくするので、総情報量を小さくすることが可能となる。【００２６】
（９）また、本発明のマルチキャリア通信システムは、少なくとも１つのサブキャリアからなる複数のチャネルの中から通信端末装置にチャネルを割り当てる通信制御装置と、前記通信制御装置によって割り当てられたチャネルで信号を受信し、受信した信号の受信品質を測定し、受信品質情報を前記通信制御装置に通知する通信端末装置とから構成されるマルチキャリア通信システムであって、前記通信端末装置は、各サブキャリアの受信品質を測定し、前記通信制御装置に対する各チャネルの割り当て要求度を決定し、前記割り当て要求度に基づいてチャネル毎に受信品質情報を表すための情報量を選択し、各チャネルに属する少なくとも１つのサブキャリアからなるサブキャリアグループ毎に、前記受信品質の測定結果に基づいて、前記選択した情報量で表わされる前記受信品質情報を生成し、前記生成した受信品質情報を前記通信制御装置へ通知することを特徴としている。【００２７】
このように、割り当て要求度を決定し、その割り当て要求度に基づいてチャネル毎に受信品質情報を表すための情報量を選択し、各チャネルに属する少なくとも１つのサブキャリアからなるサブキャリアグループ毎に、受信品質の測定結果に基づいて、選択した情報量で表わされる前記受信品質情報を生成するので、受信品質情報の総情報量を抑えることができると共に、通信制御装置における適応変調および適応スケジューリングを効率的に行なうことが可能となる。【００２８】
（１０）また、本発明の通信方法は、少なくとも１つのサブキャリアからなる複数のチャネルの中から通信端末装置にチャネルを割り当てる通信制御装置と、前記通信制御装置によって割り当てられたチャネルで信号を受信し、受信した信号の受信品質を測定し、受信品質情報を前記通信制御装置に通知する通信端末装置とから構成されるマルチキャリア通信システムの通信方法であって、前記通信端末装置において、各サブキャリアの受信品質を測定し、前記通信制御装置に対する各チャネルの割り当て要求度を決定し、前記割り当て要求度に基づいてチャネル毎に受信品質情報を表すための情報量を選択し、各チャネルに属する少なくとも１つのサブキャリアからなるサブキャリアグループ毎に、前記受信品質の測定結果に基づいて、前記選択した情報量で表わされる前記受信品質情報を生成し、前記生成した受信品質情報を前記通信制御装置へ通知することを特徴としている。【００２９】
このように、割り当て要求度を決定し、その割り当て要求度に基づいてチャネル毎に受信品質情報を表すための情報量を選択し、各チャネルに属する少なくとも１つのサブキャリアからなるサブキャリアグループ毎に、受信品質の測定結果に基づいて、選択した情報量で表わされる前記受信品質情報を生成するので、受信品質情報の総情報量を抑えることができると共に、通信制御装置における適応変調および適応スケジューリングを効率的に行なうことが可能となる。
【発明の効果】
【００３０】
本発明によれば、通信端末装置において、割り当て要求度を決定し、その割り当て要求度に基づいてチャネル毎に受信品質情報を表すための情報量を選択し、選択した情報量で表わされる受信品質情報を生成するので、受信品質情報の総情報量を抑えることができると共に、通信制御装置（例えば、基地局装置）における適応変調および適応スケジューリングを効率的に行なうことが可能となる。
【図面の簡単な説明】
【００３１】
【図１】第１の実施形態における下りリンクのサブフレーム構成の一例を示した図である。
【図２】第１の実施形態における基地局装置の概略構成を示すブロック図である。
【図３】第１の実施形態における通信端末装置の概略構成を示すブロック図である。
【図４】、通信端末装置における受信品質情報生成部の概略構成を示すブロック図である。
【図５】受信品質情報生成部（および受信品質測定部）における受信品質情報生成の動作の一例を示すフローチャートである。
【図６Ａ】第１の実施形態におけるＬ１受信品質情報、Ｌ２受信品質情報およびＬ３受信品質情報の例を示した図である。
【図６Ｂ】第１の実施形態におけるＬ１受信品質情報、Ｌ２受信品質情報およびＬ３受信品質情報の例を示した図である。
【図７Ａ】第１の実施形態におけるＬ１受信品質情報、Ｌ２受信品質情報およびＬ３受信品質情報の例を示した図である。
【図７Ｂ】第１の実施形態におけるＬ１受信品質情報、Ｌ２受信品質情報およびＬ３受信品質情報の例を示した図である。
【図８】第１の実施形態における受信品質情報の生成結果の一例を示した図である。
【図９Ａ】Ｄ１＝８（ｂ１’＝３）、Ｄ２＝４（ｂ２’＝２）、Ｄ３＝２（ｂ３’＝１）とした場合の受信品質情報と差分値の対応例を示す図である。
【図９Ｂ】Ｄ１＝８（ｂ１’＝３）、Ｄ２＝４（ｂ２’＝２）、Ｄ３＝２（ｂ３’＝１）とした場合の受信品質情報と差分値の対応例を示す図である。
【図９Ｃ】は、Ｄ１＝８（ｂ１’＝３）、Ｄ２＝４（ｂ２’＝２）、Ｄ３＝２（ｂ３’＝１）とした場合の受信品質情報と差分値の対応例を示す図である。
【図１０】第２の実施形態における基地局装置の概略構成を示すブロック図である。
【図１１】第２の実施形態における通信端末装置の概略構成を示すブロック図である。
【図１２】通信端末装置における受信品質情報生成部の概略構成を示すブロック図である。
【図１３Ａ】受信品質情報生成部（および受信品質測定部）における受信品質情報生成の動作の一例を示すフローチャートである。
【図１３Ｂ】受信品質情報生成部（および受信品質測定部）における受信品質情報生成の動作の一例を示すフローチャートである。
【図１４】第２の実施形態における受信品質情報の生成結果の一例を示した図である。
【図１５】第３の実施形態における基地局装置の概略構成を示すブロック図である。
【図１６】第３の実施形態における通信端末装置の概略構成を示すブロック図である。
【図１７】通信端末装置における受信品質情報生成部の概略構成を示すブロック図である。
【図１８Ａ】受信品質情報生成部（および受信品質測定部）における受信品質情報生成の動作の一例を示すフローチャートである。
【図１８Ｂ】受信品質情報生成部（および受信品質測定部）における受信品質情報生成の動作の一例を示すフローチャートである。
【図１９】第３の実施形態における受信品質情報の生成結果の一例を示した図である。
【図２０】第４の実施形態における下りリンクのサブフレーム構成の一例を示した図である。
【符号の説明】
【００３２】
２００、９００、１５００  基地局装置
２０１  送信バッファ部
２０２  符号化部
２０３  マッピング部
２０４  周波数時間変換部
２０５  ＧＩ挿入部
２０６  Ｄ／Ａ変換部
２０７  無線送信部
２０８  アンテナ部
２０９  無線受信部
２１０  Ａ／Ｄ変換部
２１１  デマッピング部
２１２  復号化部
２１３  受信品質情報記憶部
２１４  スケジューリング部
２１５  下りリンク制御情報生成部
２１６  パイロット生成部
３００、１０００、１６００  通信端末装置
３０１  アンテナ部
３０２  無線受信部
３０３  Ａ／Ｄ変換部
３０４  ＧＩ除去部
３０５  時間周波数変換部
３０６  デマッピング部
３０７  復号化部
３０８  受信品質測定部
３０９  受信品質情報生成部
３１０  符号化部
３１１  マッピング部
３１２  Ｄ／Ａ変換部
３１３  無線送信部
３１４  復調制御部
３４１、１０４１  受信品質平均部
３４２、１０４２  要求度決定部
３４３、１０４４、１６４４  選択生成部
９１３、１５１３  受信品質情報記憶部
１００９、１６０９  受信品質情報生成部
１０４３、１６４３  減算部
１０４５、１６４５  累積部
【発明を実施するための最良の形態】
【００３３】
次に、本発明に係る実施形態について、図面を参照しながら説明する。以下、直交周波数分割多重（Orthogonal Frequency Division Multiplex：以下、「ＯＦＤＭ」と呼称する。）を用いた多元接続方式である直交周波数分割多元接続（Orthogonal Frequency Division Multiple Access：以下、「ＯＦＤＭＡ」と呼称する。）システムを採用し、少なくとも１つのサブキャリアからなるチャネル毎に適応スケジューリング（チャネルの割り当て）を行ない、サブキャリア毎に適応変調を行なうセルラーシステムに本発明を適用した実施形態を説明する。【００３４】
なお、以下の各実施形態の説明では、受信品質情報としてパイロットシンボルに基づき算出した指標、例えば、ＳＩＮＲ（Signal to Interference plus Noise power Ratio：受信信号電力対干渉および雑音電力比）を用いるとして説明する。【００３５】
（第１の実施形態）
図１は、本実施形態における下りリンクのサブフレーム構成の一例を示した図である。図１に示すように、本実施形態におけるチャネルとは、１つあるいは複数のサブキャリアを意味している。また、サブフレームは送信単位を意味するものとし、これを１回のスケジューリング処理においてチャネルの割り当てを行なう範囲とする。また、サブフレームを時間軸方向に所定の時間長ＴＴＩ（Transmission Time Interval）でＴ個（Ｔは自然数）に分割し、１チャネルにおける１ＴＴＩ内をスケジューリングの単位（以下、「リソースブロック（ＲＢ）」と呼称する。）とする。ここでは、各通信端末装置は、下りリンクの受信品質をサブキャリア毎に基地局装置へ報告し、基地局装置は、リソースブロック単位で各通信端末装置への下りリンクデータをスケジューリングし、そのリソースブロック内をさらにサブキャリア毎に適応変調する場合について説明する。【００３６】
なお、本発明の適用範囲は、図１のサブフレーム構成に限定されるものではなく、複数のチャネルを用いて通信を行なうシステムにおいて、各通信端末装置における各チャネルの受信品質が異なる可能性のあるシステムに対して、本発明は適用可能である。【００３７】
図２は、本実施形態における基地局装置２００の概略構成を示すブロック図である。図３は、本実施形態における通信端末装置３００の概略構成を示すブロック図である。図２において、基地局装置２００は、送信バッファ部２０１、符号化部２０２、マッピング部２０３、周波数時間変換部２０４、ＧＩ（Guard Interval：ガード期間）挿入部２０５、Ｄ／Ａ（Digital-to-Analog）変換部２０６、無線送信部２０７、アンテナ部２０８、無線受信部２０９、Ａ／Ｄ（Analog-to-Digital）変換部２１０、デマッピング部２１１、復号化部２１２、スケジューリング部２１４、下りリンク制御情報生成部２１５、パイロット生成部２１６、受信品質情報記憶部２１３を有する。【００３８】
図３において、通信端末装置３００は、アンテナ部３０１、無線受信部３０２、Ａ／Ｄ変換部３０３、ＧＩ除去部３０４、時間周波数変換部３０５、デマッピング部３０６、復号化部３０７、受信品質測定部３０８、受信品質情報生成部３０９、符号化部３１０、マッピング部３１１、Ｄ／Ａ変換部３１２、無線送信部３１３、復調制御部３１４を有する。【００３９】
まず、基地局装置２００が下りリンク信号を送信して、その下りリンク信号を通信端末装置３００が受信する手順を図２および図３を用いて説明する。図２において、送信バッファ部２０１は、入力された送信データを送信先の通信端末装置毎にバッファに蓄積し、符号化部２０２からの要求に応じて蓄積した送信データを符号化部２０２へ出力する。【００４０】
スケジューリング部２１４は、受信品質情報記憶部２１３に記憶された各通信端末装置から通知された受信品質情報を読み出す。そして、その情報に基づいて各チャネルの各リソースブロックに通信端末装置を割り当て（スケジューリングし）、それぞれのリソースブロック内のサブキャリアで使用する変調パラメータを選択する。そして、そのスケジューリング結果（スケジューリング情報）とその変調パラメータ選択結果（変調パラメータ情報）とを出力する。なお、スケジューリングは、さらに送信バッファ部２０１からの送信データ量情報に基づいて行なわれても良い。【００４１】
下りリンク制御情報生成部２１５は、スケジューリング部２１４からのスケジューリング情報と変調パラメータ情報を含む下りリンク制御情報を生成し出力する。符号化部２０２は、スケジューリング部２１４から通知される下りリンクへの各通信端末装置の割り当て情報（スケジューリング情報）に従って、送信バッファ部２０１から各通信端末装置宛の必要量の送信データを読み出し、さらにスケジューリング部２１４から通知される変調パラメータ情報およびスケジューリング情報に従って各通信端末装置宛の送信データに対して誤り訂正符号化処理を行ない、データ系列を生成し出力する。【００４２】
パイロット生成部２１６は、通信端末装置における受信品質測定のために送信信号へ挿入する、パイロット系列を生成し出力する。マッピング部２０３は、データ系列の各ビットをスケジューリング部２１４から通知される変調パラメータ情報およびスケジューリング情報に基づいたサブキャリア上の変調シンボルへマッピングし、下りリンク制御情報およびパイロット生成部２１６で生成されたパイロット系列を所定のサブキャリア上の所定の変調シンボルへマッピングを行ない、出力する。例えば、図１の例において、データ系列は、図中のデータシンボルへスケジューリング情報に基づいてマッピングされ、パイロット系列は図中の所定のパイロットシンボルへ、下りリンク制御情報は図中の所定の下りリンク制御情報シンボルへ、それぞれマッピングされる。【００４３】
周波数時間変換部２０４は、マッピング部２０３から出力された変調シンボル系列を周波数時間変換処理、例えば高速逆フーリエ変換（Inverse Fast Fourier Transform：ＩＦＦＴ）して、時間軸のＯＦＤＭ信号に変換し、変換された信号をＧＩ挿入部２０５へ出力する。ＧＩ挿入部２０５は、周波数時間変換部２０４で生成されたＯＦＤＭ信号にガード期間ＧＩを付加する。Ｄ／Ａ変換部２０６は、ガード期間ＧＩを付加された信号をアナログ信号に変換する。無線送信部２０７は、そのアナログ信号を、アップコンバートして、アンテナ部２０８より通信端末装置３００に送信する。【００４４】
次に、通信端末装置３００での動作について図３を用いて説明する。通信端末装置３００では、基地局装置２００から送信された信号を、アンテナ部３０１を経て無線受信部３０２が受信する。Ａ／Ｄ変換部３０３は、無線受信部３０２が受信してダウンコンバートしたアナログ信号を、デジタル信号に変換する。ＧＩ除去部３０４は、このデジタル信号からガード期間ＧＩを除去し、ガード期間ＧＩを除去した信号を時間周波数変換部３０５に出力する。時間周波数変換部３０５は、ＧＩ除去部３０４から出力されたＯＦＤＭ信号を時間周波数変換、例えば高速フーリエ変換（Fast Fourier Transform：ＦＦＴ）することにより、変調シンボル系列に変換する。【００４５】
デマッピング部３０６は、時間周波数変換部３０５から出力された変調シンボル系列から、まずパイロットシンボルを分離し受信品質測定部３０８に出力する。次に、下りリンク制御情報をデマッピングし復調制御部３１４に出力する。さらに、復調制御部３１４からのスケジューリング情報および変調パラメータ情報に従ってデータ系列をデマッピングし復号化部３０７に出力する。なお、パイロットシンボルに基づいて変調シンボル系列に対して伝搬路補償を行なっても良い。【００４６】
復号化部３０７は、復調制御部３１４から出力されたスケジューリング情報および変調パラメータ情報に従い、デマッピング部３０６から出力されたデータ系列に対して誤り訂正復号化処理を行ない、受信データを出力する。復調制御部３１４は、デマッピング部３０６から入力された下りリンク制御情報からスケジューリング情報（通信端末装置３００宛の送信データに割り当てられたリソースブロックに関する情報）および変調パラメータ情報（その割り当てられたリソースブロック内の各サブキャリアの変調パラメータに関する情報）を抽出し、デマッピング部３０６および復号化部３０７へ出力する。なお、下りリンク制御情報が基地局装置２００において予め誤り訂正符号化されている場合は、誤り訂正復号化すれば良い。【００４７】
次に、通信端末装置３００が報告情報を基地局装置２００にフィードバックする手順を図２および図３を用いて説明する。まず、通信端末装置３００での動作について図３を用いて説明する。受信品質測定部３０８は、デマッピング部３０６から出力されたパイロットシンボルを用いて、各サブキャリアにおける受信品質を測定し、この受信品質測定結果を受信品質情報生成部３０９に出力する。なお、本実施形態では、パイロットシンボルを用いて受信品質を測定する場合について説明するが、データシンボルを用いた受信品質測定や、受信データの誤り訂正復号判定結果を用いた受信品質測定を行なう場合にも本発明は適用できることは勿論である。【００４８】
受信品質情報生成部３０９は、受信品質測定部３０８から出力された各サブキャリアにおける受信品質測定結果に基づいて各チャネルの要求順位を決定し、その決定した要求順位に応じた異なるレベル数（量子化ビット数）を用いて、各チャネル内のサブキャリア毎の受信品質測定結果を表す受信品質情報を生成し出力する。なお、受信品質情報生成部３０９の詳細については後述する。【００４９】
符号化部３１０は、基地局装置への送信データを誤り訂正符号化し、データ系列を出力する。マッピング部３１１は、受信品質情報生成部３０９が生成した受信品質情報と、符号化部３１０が出力したデータ系列とを変調シンボルにマッピングし出力する。なお、受信品質情報は、基地局装置への送信データとは別に基地局装置へ通知しても良い。【００５０】
Ｄ／Ａ変換部３１２は、マッピング部３１１から出力された信号をアナログ信号に変換する。この変換されたアナログ信号を、無線送信部３１３は、アップコンバートし、アンテナ部３０１から基地局装置２００に送信する。【００５１】
次に、基地局装置２００での動作について図２を用いて説明する。基地局装置２００では、通信端末装置３００から送信された信号を、アンテナ部２０８を経て無線受信部２０９が受信する。この受信したアナログ信号を、無線受信部２０９がダウンコンバートした後に、Ａ／Ｄ変換部２１０はデジタル信号に変換しデマッピング部２１１へ出力する。デマッピング部２１１は、Ａ／Ｄ変換部２１０から送られたデジタル信号（変調シンボル）をデマッピングし、受信品質情報とデータ系列とを分離し、受信品質情報を受信品質情報記憶部２１３へ、データ系列を復号化部２１２へ、それぞれ出力する。【００５２】
復号化部２１２は、デマッピング部２１１で取り出されたデータ系列を誤り訂正復号化し、受信データを取り出す。受信品質情報記憶部２１３は、デマッピング部２１１が分離した各通信端末装置から通知された受信品質情報を通信端末装置毎に記憶し、スケジューリング部２１４へ出力する。【００５３】
図４は、通信端末装置３００における受信品質情報生成部３０９の概略構成を示すブロック図である。受信品質測定部３０８から出力された各サブキャリアの受信品質測定結果が、受信品質平均部３４１および選択生成部３４３へ入力される。受信品質平均部３４１は、チャネル毎に、各チャネルに属する全サブキャリアに関する受信品質測定結果の平均値（各チャネルの受信品質平均値）を算出し出力する。要求度決定部３４２は、受信品質平均部３４１から出力された各チャネルの受信品質平均値の良好な順、すなわち基地局装置に対して割り当てを要求する順に各チャネルを順位付けし、各チャネルの順位を出力する。【００５４】
選択生成部３４３は、要求度決定部３４２で決定された各チャネルの順位に基づいて、受信品質測定部３０８から入力された各サブキャリアの受信品質測定結果を何段階のレベル数、すなわち何ビットの情報によって量子化するかを選択し、選択したビット数によって表されるサブキャリア毎の受信品質情報を生成し出力する。さらに、各チャネルで選択した受信品質情報の種類を識別する情報を前記受信品質情報に付加する。なお、各チャネルの割り当て要求度に関する情報を付加しても良い。【００５５】
図５は、受信品質情報生成部３０９（および受信品質測定部３０８）における受信品質情報生成の動作の一例を示すフローチャートである。図５では、全チャネル数がＮｃｈであるとする。そして、全チャネルのうち受信品質の良い方からＭ１個のチャネルについては、各サブキャリアの受信品質測定結果をＬ１レベル（ｂ１ビット）で量子化して受信品質情報（以下、「Ｌ１受信品質情報」と呼称する。）を生成する。また、その次のＭ２個のチャネルについては、各サブキャリアの受信品質測定結果をＬ２レベル（ｂ２ビット）で量子化して受信品質情報（以下、「Ｌ２受信品質情報」と呼称する。）を生成する。さらに、残りのチャネルについては、各サブキャリアの受信品質測定結果をＬ３レベル（ｂ３ビット）で量子化して受信品質情報（以下、「Ｌ３受信品質情報」と呼称する。）を生成する。【００５６】
なお、ここで、Ｌ１、Ｌ２、Ｌ３、ｂ１、ｂ２およびｂ３は、Ｌ１＞Ｌ２＞Ｌ３、ｂ１＞ｂ２＞ｂ３を満たす自然数であり、Ｍ１およびＭ２は（Ｍ１＋Ｍ２）≦Ｎｃｈを満たす正の整数である。【００５７】
以下、図５を用いて受信品質情報生成動作の詳細について説明する。まず、デマッピング部３０６から出力されたパイロットシンボルを用いて、各サブキャリアにおける受信品質を測定し出力する（ステップＳ５０１）。次に、チャネル毎に、各チャネルに属する全サブキャリアに関する受信品質測定結果の平均値（各チャネルの受信品質平均値）を算出し（ステップＳ５０２）、算出した各チャネルの受信品質平均値の良好な順に各チャネルを順位付けする（ステップＳ５０３）。次に、各チャネルについて以下の処理を繰り返す（ステップＳ５０４〜Ｓ５０９のループ１）。【００５８】
ｊ番目のチャネルの前記順位と、Ｌ１受信品質情報を生成するチャネルの個数Ｍ１と、Ｌ２受信品質情報を生成するチャネルの個数Ｍ２とを比較し（ステップＳ５０５）、ｊ番目のチャネルの順位が第Ｍ１位以内の場合、ｊ番目のチャネル内の各サブキャリアの受信品質測定結果をＬ１受信品質情報へ量子化して出力し（ステップＳ５０６）、ｊ番目のチャネルの順位が第（Ｍ１＋１）位から第（Ｍ１＋Ｍ２）位の場合、ｊ番目のチャネル内の各サブキャリアの受信品質測定結果をＬ２受信品質情報へ量子化して出力し（ステップＳ５０７）、ｊ番目のチャネルの順位が第（Ｍ１＋Ｍ２＋１）位以下の場合、ｊ番目のチャネル内の各サブキャリアの受信品質測定結果をＬ３受信品質情報へ量子化して出力する（ステップＳ５０８）。【００５９】
上記の例では、選択生成部３４３において付加する各チャネルで選択した受信品質情報の種類を識別する情報の代わりとして、Ｌ１受信品質情報を通知する最も割り当て要求度の高いチャネルのグループと、次に割り当て要求度の高いＬ２受信品質情報を通知するチャネルのグループの、それぞれに属するチャネルの番号を付加しても良い。【００６０】
図６Ａ、図６Ｂ、図７Ａ、および図７Ｂは、本実施形態におけるＬ１受信品質情報、Ｌ２受信品質情報およびＬ３受信品質情報の例を示した図である。図６Ａおよび図６Ｂは、Ｌ１受信品質情報を１サブキャリア当たり８レベル（Ｌ１＝８、ｂ１＝３ビット）、Ｌ２受信品質情報を１サブキャリア当たり４レベル（Ｌ２＝４、ｂ２＝２ビット）、Ｌ３受信品質情報を１サブキャリア当たり２レベル（Ｌ３＝２、ｂ３＝１ビット）の情報によって表す場合の、受信品質（ここでは受信品質としてＳＩＮＲを使用）と各レベルの対応関係の例を示している。【００６１】
例えば、図６Ａのように、Ｌ１受信品質情報はＬ２受信品質情報の１レベルをＬ１／Ｌ２レベルで細分化するように、Ｌ２受信品質情報はＬ３受信品質情報の１レベルをＬ２／Ｌ３レベルで細分化するようにそれぞれ設定されても良い。また、図６Ｂのように、最低のレベルによって表される受信品質は３種類の受信品質情報で同じとして、他のレベルにおいてＬ１受信品質情報がＬ２受信品質情報の各レベルを、Ｌ２受信品質情報がＬ３受信品質情報をそれぞれ細分化するように設定されても良い。ただし、本発明は、これらの例に限られるものではない。【００６２】
また、Ｌ１受信品質情報、Ｌ２受信品質情報およびＬ３受信品質情報の各レベルと受信品質（ＳＩＮＲ）との関係は、例えば、基地局装置での適応変調における変調パラメータと受信品質（ＳＩＮＲ）との対応関係（各変調パラメータ選択の際のＳＩＮＲ閾値など）に基づいて決定するか、さらにスケジューリングを考慮して決定するか、受信品質（ＳＩＮＲ）のある範囲をＬ１等分、Ｌ２等分またはＬ３等分して決定するのが好ましい。しかし、これに限られるものではない。【００６３】
図７Ａおよび図７Ｂは、受信品質情報として変調方式（図７Ａおよび図７Ｂの例ではＱＰＳＫ、１６ＱＡＭ、６４ＱＡＭの３種類）とチャネル符号化率Ｒ（図７Ａおよび図７Ｂの例では１／３、１／２、３／４）との組み合わせであるＭＣＳを通信端末装置から基地局装置へ通知する場合の、受信品質（ＳＩＮＲ）とＬ１受信品質情報、Ｌ２受信品質情報およびＬ３受信品質情報の各レベルの対応関係の一例を示す図である。なお、図７Ａおよび図７Ｂの例では、ＭＣＳの最低レベルとして、送信を行なわない（キャリアホールとする）「無送信」を含めている。【００６４】
図７Ａおよび図７Ｂでは、Ｌ１受信品質情報として１サブキャリア当たり８レベル（Ｌ１＝８、ｂ１＝３ビット）のＭＣＳ、Ｌ２受信品質情報として１サブキャリア当たり４レベル（Ｌ１＝４、ｂ２＝２ビット）のＭＣＳ、Ｌ３受信品質情報として１サブキャリア当たり２レベル（Ｌ３＝２、ｂ３＝１ビット）を表す場合の例を示している。【００６５】
図６Ａ、図６Ｂ、図７Ａおよび図７Ｂに示したように、Ｌ１受信品質情報は各サブキャリアのより詳細な受信品質を通知することが可能であるが通信端末装置から基地局装置へ通知する情報量（ビット数）が大きく、Ｌ２受信品質情報は通知する各サブキャリアの受信品質はＬ１受信品質情報より粗くなるが情報量は小さくなり、Ｌ３受信品質情報は通知する各サブキャリアの受信品質はＬ２受信品質情報よりさらに粗くなるが情報量はもっとも小さくできる。【００６６】
図８は、本実施形態における受信品質情報の生成結果の一例を示した図である。図８は、受信品質情報として図７Ｂの例に示したＬ１受信品質情報、Ｌ２受信品質情報およびＬ３受信品質情報を用い、全チャネル数が８（Ｎｃｈ＝８）、各チャネルに含まれるサブキャリア数が４、Ｌ１受信品質情報を報告するチャネル数を２（Ｍ１＝２）、Ｌ２受信品質情報を報告するチャネル数を２（Ｍ２＝２）、したがってＬ３受信品質情報を報告するチャネル数は４（Ｎｃｈ−Ｍ１−Ｍ２＝４）とした場合の例である。【００６７】
図８のグラフ中の点線は受信品質測定部３０８において測定された受信品質測定結果であるＳＩＮＲ（左側の縦軸）を表し、一点鎖線は各チャネルにおける全サブキャリアに関する受信品質測定結果の平均値を表し、実線は生成された各サブキャリアの受信品質情報（右側の縦軸）を表している。【００６８】
図８におけるこの一点鎖線で示された各チャネル内の受信品質平均値の良好な順に各チャネルの順序付けを行ない、第Ｍ１位以内、すなわち第１位のチャネル４と第２位のチャネル５についてはＬ１受信品質情報を生成し、第（Ｍ１＋１）位から第（Ｍ１＋Ｍ２）位、すなわち第３位のチャネル２と第４位のチャネル１についてはＬ２受信品質情報を生成し、その他の第（Ｍ１＋Ｍ２＋１）位以下の各チャネル（チャネル３、チャネル６、チャネル７およびチャネル８）についてはＬ３受信品質情報を生成する。【００６９】
図８の例では、全てのサブキャリアの受信品質情報をＬ１受信品質情報で生成した場合に必要なビット数９６ビット（チャネル数８×チャネル内サブキャリア数４×サブキャリア当たりの受信品質情報ビット数３）に対して、本実施形態では５６ビットとなっている。また、受信品質の良好な所定数のチャネルに関してのみ受信品質情報を生成する場合に対して、本実施形態では全チャネルの全サブキャリアに関する受信品質情報が含まれている。【００７０】
このように、本実施形態によれば、通信端末装置３００から基地局装置２００へ受信品質情報を通知する際に、通信端末装置３００が基地局装置２００に下りリンクの割り当てを要求するチャネルの優先度（要求度）に応じて、各チャネル内のサブキャリアに関する受信品質測定結果を、１サブキャリア当たりＬ１レベル（ｂ１ビット）で表現するＬ１受信品質情報で通知するか、１サブキャリア当たりＬ２レベル（ｂ２ビット；ｂ２＜ｂ１）で表現するＬ２受信品質情報で通知するか、１サブキャリア当たりＬ３レベル（ｂ３ビット；ｂ３＜ｂ２）で表現するＬ３受信品質情報を通知するかを選択する。【００７１】
そのため、下りリンクにおいて通信端末装置３００にとって受信品質の最も良好な方からＭ１個のチャネルに含まれる、すなわち基地局装置２００に対して通信端末装置３００が割り当てを要求する優先度が高いＭ１個のチャネルに関しては、そのチャネル内の各サブキャリアの受信品質を多くのレベル数を用いて詳細に表したＬ１受信品質情報を通知することにより、基地局装置２００が当該通信端末装置３００に対して前記Ｍ１個のチャネルから割り当てを行なう場合に、効率的なチャネル（その中のリソースブロック）割り当ておよび適応変調を行なうことが可能となり、より高速な伝送が実現できる。【００７２】
さらに、基地局装置２００によるスケジューリングの結果、下りリンクにおいて通信端末装置３００にとって受信品質の最も良好な前記Ｍ１個のチャネルが通信端末装置３００に対して割り当てることができないとき、前記Ｍ１個のチャネルに次いで受信品質の良好なＭ２個のチャネル、すなわち前記Ｍ１個のチャネルに次いで割り当てを要求する優先度の高いＭ２個のチャネルに関しては、そのチャネル内の各サブキャリアの受信品質をＬ１受信品質情報よりは少ないレベル数を用いて中程度の詳細度で表したＬ２受信品質情報を通知しておくことにより、基地局装置２００が当該通信端末装置３００に前記Ｍ１個のチャネルに代わって前記Ｍ２個のチャネルから割り当てを行なう場合に、チャネル割り当ておよび適応変調の効率はＬ１受信品質情報よりも低下するが、受信品質情報の情報量を削減することができる。【００７３】
一方、基地局装置２００によるスケジューリングの結果、下りリンクにおいて通信端末装置３００にとって受信品質の良好な前記Ｍ１個のチャネルも前記Ｍ２個のチャネルも通信端末装置３００に対して割り当てることができないとき、その他のチャネルに関して、各チャネル内の各サブキャリアの受信品質をＬ２受信品質情報よりさらに少ないレベル数を用いて粗く表したＬ３受信品質情報を通知しておくことにより、基地局装置２００が当該通信端末装置３００に前記Ｍ１個のチャネルおよび前記Ｍ２個のチャネル以外から割り当てを行なう場合でも、受信品質情報の情報量を最も削減しながら、粗い適応変調により伝送を確保することができる。【００７４】
以上から、通信端末装置からの上りリンクでの受信品質情報の通知情報量を抑えながらも、下りリンクのデータ通信において、通信端末装置における割り当ての要求度が高いチャネルが割り当てられる場合は、通信端末装置における詳細な受信品質情報に基づいた効率的なスケジューリングおよび適応変調による高速な通信が可能となる。また、通信端末装置における割り当ての要求度が低いチャネルを割り当てざるを得ない場合でも、通信端末装置における粗い受信品質情報に基づいたスケジューリングおよび適応変調を適用することが可能となる。【００７５】
（第２の実施形態）
次に、本発明の第２の実施形態について説明する。第１の実施形態では、通信端末装置３００におけるチャネルの割り当て要求度に応じて、各チャネル内のサブキャリアの受信品質情報として、それぞれの受信品質を１サブキャリア当たりｂ１ビットで表現されるＬ１個のレベルによって表すＬ１受信品質情報と、ｂ２ビット（ｂ２＜ｂ１）で表現されるＬ２個のレベルによって表すＬ２受信品質情報と、ｂ３ビット（ｂ３＜ｂ２）で表現されるＬ３個のレベルによって表すＬ３受信品質情報から選択する場合について説明した。【００７６】
本実施形態における通信端末装置１０００は、受信品質情報として、最初のチャネルの最初のサブキャリアに関しては受信品質測定結果を表す情報（以下、「非差分受信品質情報」または「非差分情報」と呼称する。）と、他のサブキャリアに関しては受信品質測定結果を表す情報の隣接サブキャリアからの差分値を、当該サブキャリアの属するチャネルの割り当て要求度に応じて、Ｄ１レベル（ｂ１’ビット：ｂ１’は自然数）の差分レベルによって表した受信品質情報（以下、「Ｄ１差分受信品質情報」と呼称する。）と、Ｄ２レベル（ｂ２’ビット：ｂ２’＜ｂ１’を満たす自然数）の差分レベルによって表した受信品質情報（以下、「Ｄ２差分受信品質情報」と呼称する。）と、Ｄ３レベル（ｂ３’ビット：ｂ３’＜ｂ２’を満たす自然数）の差分レベルによって表した受信品質情報（以下、「Ｄ３差分受信品質情報」と呼称する。）とから選択する。【００７７】
図９Ａ、図９Ｂおよび図９Ｃに、Ｄ１＝８（ｂ１’＝３）、Ｄ２＝４（ｂ２’＝２）、Ｄ３＝２（ｂ３’＝１）とした場合の受信品質情報と前記差分値の対応例を示す。図９Ａの例では、Ｄ１差分受信品質情報として３ビットで表現される０から７の８個の値が定義され、それぞれ±０、＋１、＋２、＋３、−４、−３、−２、−１の各差分値を対応させ、Ｄ２差分受信品質情報として２ビットで表現される０から３の４個の値が定義され、それぞれ±０、＋１、−２、−１の各差分値を対応させ、Ｄ３差分受信品質情報として１ビットで表現される０と１の２個の値が定義され、それぞれ＋１、−１の各差分値を対応させた場合を示している。図９Ｂ、図９Ｃも同様にそれぞれの受信品質情報の値に各差分値を対応させた別の例を示している。【００７８】
このように、Ｄ１レベル（ｂ１’ビット）、Ｄ２レベル（ｂ２’ビット）およびＤ３レベル（ｂ３’ビット）で表現される差分値として、それぞれのビット数の２の補数で表現される値を用いたり、表現される差分値の範囲がほぼ同じになるような値を設定して用いたりすることが好ましいが、これに限られるものではない。【００７９】
図１０および図１１は、それぞれ本実施形態における基地局装置９００および通信端末装置１０００の概略構成を示すブロック図である。本実施形態における基地局装置９００の機能ブロックのうち、基地局装置２００の受信品質情報記憶部２１３に相当する受信品質情報記憶部９１３が、第１の実施形態とは異なる。また、本実施形態における通信端末装置１０００は、通信端末装置３００の受信品質情報生成部３０９に相当する受信品質情報生成部１００９が第１の実施形態とは異なる。基地局装置および通信端末装置のその他の構成は第１の実施形態（図２、図３）と同様であり、その説明は省略する。【００８０】
図１０に示す基地局装置９００において、受信品質情報記憶部９１３は、デマッピング部２１１が分離した各通信端末装置から通知された受信品質情報を基にして、最初のチャネルの最初のサブキャリアに関する非差分受信品質情報を起点として順番に各サブキャリアに関する差分受信品質情報に対応づけられた差分値を加算することによって、各サブキャリアに関する受信品質を表す情報を復元し、通信端末装置毎に記憶し、スケジューリング部２１４へ出力する。【００８１】
図１１に示す通信端末装置１０００において、受信品質情報生成部１００９は、受信品質測定部３０８から出力された各サブキャリアにおける受信品質測定結果に基づいて各チャネルの要求順位を決定し、最初のチャネルの最初のサブキャリアの受信品質測定結果を起点として他のサブキャリアに関する受信品質測定結果の隣接サブキャリアからの差分値をそれぞれ算出し、前記決定した要求順位に応じた異なるレベル数（差分値のビット数）を用いて前記差分値を表す差分受信品質情報を生成し出力する。【００８２】
図１２は、通信端末装置１０００における受信品質情報生成部１００９の概略構成を示すブロック図である。受信品質測定部３０８から出力された各サブキャリアの受信品質測定結果が、受信品質平均部１０４１、減算部１０４３および選択生成部１０４４へ入力される。受信品質平均部１０４１は、チャネル毎に、各チャネルに属する全サブキャリアに関する受信品質測定結果の平均値（各チャネルの受信品質平均値）を算出し出力する。要求度決定部１０４２は、受信品質平均部１０４１から出力された各チャネルの受信品質平均値の良好な順、すなわち基地局装置に対して割り当てを要求する順に各チャネルを順位付けし、各チャネルの順位を出力する。減算部１０４３は、各サブキャリアの受信品質測定結果から累積部１０４５が出力する累積値を減算した差分値を算出し出力する。【００８３】
選択生成部１０４４は、最初のサブキャリアに関しては、受信品質測定部３０８から出力された受信品質測定結果を、最も詳細に表せるＬ０レベル（ｂ０ビット：ｂ０は自然数）で量子化して非差分受信品質情報として出力し、その他のサブキャリアに関しては、減算部１０４３から入力されたそれぞれの差分値を、要求度決定部１０４２で決定された各チャネルの順位に基づいて、Ｄ１差分受信品質情報、Ｄ２差分受信品質情報およびＤ３差分受信品質情報のどの差分受信品質情報を用いて表現するかを選択し、選択した差分受信品質情報によって表されるサブキャリア毎の受信品質情報を生成し出力する。さらに、各チャネルで選択した差分受信品質情報の種類を識別する情報を前記受信品質情報に付加する。または各チャネルの割り当て要求度に関する情報を付加しても良い。さらに、Ｄ１差分受信品質情報を通知する最も割り当て要求度の高いチャネルのグループと、次に割り当て要求度の高いＤ２差分受信品質情報を通知するチャネルのグループの、それぞれに属するチャネルの番号を付加しても良い。累積部１０４５は、選択生成部１０４４が生成した受信品質情報が入力され、最初のサブキャリアに関する非差分受信品質情報が入力された場合は、累積値をその受信品質情報が表す値に設定し、その他のサブキャリアに関する差分受信品質情報が入力された場合は、その差分受信品質情報が表す差分値を前記累積値に加算し、前記累積値を出力する。【００８４】
図１３Ａおよび図１３Ｂは、受信品質情報生成部１００９（および受信品質測定部３０８）における受信品質情報生成の動作の一例を示すフローチャートである。図１３Ａおよび図１３Ｂでは、全チャネル数がＮｃｈ、各チャネルに含まれるサブキャリア数がＮｓｃであり、全チャネルのうち受信品質の良い方からＭ１個のチャネルについては各サブキャリアの受信品質測定結果から累積部１０４５が出力する累積値を減算した差分値からＤ１差分受信品質情報を生成し、その次のＭ２個のチャネルについては各サブキャリアにおける前記差分値からＤ２差分受信品質情報を生成し、残りのチャネルについては各サブキャリアにおける前記差分値からＤ３受信品質情報を生成する場合の例を示している。なおここで、Ｍ１およびＭ２は、
（Ｍ１＋Ｍ２）≦Ｎｃｈ
を満たす正の整数である。【００８５】
以下、図１３Ａおよび図１３Ｂを用いて受信品質情報生成動作の詳細について説明する。まず、デマッピング部３０６から出力されたパイロットシンボルを用いて、各サブキャリアにおける受信品質を測定し出力する（ステップＳ１３０１）。次に、チャネル毎に、各チャネルに属する全サブキャリアに関する受信品質測定結果の平均値（各チャネルの受信品質平均値）を算出し（ステップＳ１３０２）、算出した各チャネルの受信品質平均値の良好な順に各チャネルを順位付けする（ステップＳ１３０３）。次に、各チャネルについて以下の処理を繰り返し（ステップＳ１３０４〜ステップＳ１３１６のループ２）、さらにその中で各サブキャリアについて以下の処理を繰り返す（ステップＳ１３０５〜ステップＳ１３１５のループ３）。【００８６】
１番目のチャネルの１番目のサブキャリア（最初のサブキャリア）の場合（ステップＳ１３０６でＹｅｓ）、最初のサブキャリアに関する受信品質測定結果をＬ０レベルの受信品質情報へ量子化して出力し（ステップＳ１３０７）、その量子化結果を累積値Ｄｓｕｍに設定する（ステップＳ１３０８）。【００８７】
その他のサブキャリア（ｊ，ｋ）≠（１，１）の場合（ステップＳ１３０６でＮｏ）、サブキャリア（ｊ，ｋ）の受信品質測定結果から累積値Ｄｓｕｍを減算した差分値Ｄｄｉｆｆを算出し（ステップＳ１３０９）、ｊ番目のチャネルの前記順位と、Ｄ１差分受信品質情報を生成するチャネルの個数Ｍ１と、Ｄ２差分受信品質情報を生成するチャネルの個数Ｍ２とを比較する（ステップＳ１３１０）。【００８８】
ステップＳ１３１０において、ｊ番目のチャネルの順位が第Ｍ１位以内の場合、Ｄ１差分受信品質情報の中からサブキャリア（ｊ，ｋ）に関する差分値Ｄｄｉｆｆに最も近い値Ｄｃｑｉを表す差分受信品質情報を選択して出力する（ステップＳ１３１１）。また、ｊ番目のチャネルの順位が第（Ｍ１＋１）位から第（Ｍ１＋Ｍ２）位の場合、Ｄ２差分受信品質情報の中からサブキャリア（ｊ，ｋ）に関する差分値Ｄｄｉｆｆに最も近い値Ｄｃｑｉを表す差分受信品質情報を選択して出力する（ステップＳ１３１２）。また、ｊ番目のチャネルの順位が第（Ｍ１＋Ｍ２＋１）位以下の場合、Ｄ３差分受信品質情報の中からサブキャリア（ｊ，ｋ）に関する差分値Ｄｄｉｆｆに最も近い値Ｄｃｑｉを表す差分受信品質情報を選択して出力する（ステップＳ１３１３）。選択した差分受信品質情報の表す値Ｄｃｑｉを累積値Ｄｓｕｍに加算する（ステップＳ１３１４）。【００８９】
図１４は、本実施形態における受信品質情報の生成結果の一例を示した図である。図１４では、受信品質情報として図９Ｂの例に示したＤ１差分受信品質情報、Ｄ２差分受信品質情報およびＤ３差分受信品質情報を用い、全チャネル数が８（Ｎｃｈ＝８）、各チャネルに含まれるサブキャリア数が４、Ｄ１差分受信品質情報を報告するチャネル数を２（Ｍ１＝２）、Ｄ２差分受信品質情報を報告するチャネル数を２（Ｍ２＝２）、したがってＤ３差分受信品質情報を報告するチャネル数は４（Ｎｃｈ−Ｍ１−Ｍ２＝４）とした場合の例である。【００９０】
図１４において、グラフ中の点線は、受信品質測定部３０８において測定された受信品質測定結果であるＳＩＮＲ（左側の縦軸）を表し、一点鎖線は、各チャネルにおける全サブキャリアに関する受信品質測定結果の平均値を表す。また、実線は、生成された各サブキャリアにおける累積値（右側の縦軸）を表している。【００９１】
この一点鎖線で示された各チャネル内の受信品質平均値の良好な順に各チャネルの順序付けを行ない、最初のサブキャリアに関する受信品質測定結果をＬ０レベル（ｂ０ビット）の受信品質情報へ量子化して出力する（図１４の例では、Ｌ０＝１６、ｂ０＝４、受信品質情報が６）。その他のサブキャリアに関しては、それぞれのサブキャリアが属するチャネルが、第Ｍ１位以内、すなわち第１位のチャネル４と第２位のチャネル５についてはＤ１差分受信品質情報を生成し、第（Ｍ１＋１）位から第（Ｍ１＋Ｍ２）位、すなわち第３位のチャネル２と第４位のチャネル１についてはＤ２差分受信品質情報を生成し、その他の第（Ｍ１＋Ｍ２＋１）位以下の各チャネル（チャネル３、チャネル６、チャネル７およびチャネル８）についてはＤ３差分受信品質情報を生成する。【００９２】
図１４の例では、全てのサブキャリアの受信品質情報をＬ０レベルの受信品質情報で生成した場合に必要なビット数１２８ビット（チャネル数８×チャネル内サブキャリア数４×サブキャリア当たりの受信品質情報ビット数４）に対して、本実施形態では５８ビットとなっている。また、受信品質の良好な所定数のチャネルに関してのみ受信品質情報を生成する場合に対して、本実施形態では全チャネルの全サブキャリアに関する受信品質情報が含まれている。【００９３】
このように、本実施形態では、通信端末装置１０００から基地局装置９００へ受信品質情報を通知する際に、通信端末装置１０００が基地局装置９００に下りリンクの割り当てを要求するチャネルの優先度（要求度）に応じて、最初のチャネルの最初のサブキャリアに関する受信品質測定結果を表す情報と、他のサブキャリアに関しては、受信品質を表す情報の隣接サブキャリアからの差分値をＤ１レベルで表現するＤ１差分受信品質情報で通知するか、上記差分値をＤ２レベルで表現するＤ２差分受信品質情報で通知するか、上記差分値をＤ３レベルで表現するＤ３差分受信品質情報で通知するかを選択する。【００９４】
このように、下りリンクにおいて通信端末装置１０００にとって受信品質の最も良好な方からＭ１個のチャネルに含まれる、すなわち、基地局装置９００に対して通信端末装置１０００が割り当てを要求する優先度が高いＭ１個のチャネルに関しては、そのチャネル内の各サブキャリアの受信品質を表す情報の隣接サブキャリアからの差分値を多くのレベル数を用いて詳細に表したＤ１差分受信品質情報を通知する。これにより、基地局装置９００が当該通信端末装置１０００に対して前記Ｍ１個のチャネルから割り当てを行なう場合に、効率的なチャネル（その中のリソースブロック）割り当ておよび適応変調を行なうことが可能となり、より高速な伝送を実現することができる。【００９５】
さらに、基地局装置９００によるスケジューリングの結果、下りリンクにおいて通信端末装置１０００にとって受信品質の最も良好な前記Ｍ１個のチャネルが通信端末装置１０００に対して割り当てることができないとき、前記Ｍ１個のチャネルに次いで受信品質の良好なＭ２個のチャネル、すなわち、前記Ｍ１個のチャネルに次いで割り当てを要求する優先度の高いＭ２個のチャネルに関しては、そのチャネル内の各サブキャリアの受信品質を表す情報の隣接サブキャリアからの差分値をＤ１差分受信品質情報よりは少ないレベル数を用いて中程度の詳細度で表したＤ２差分受信品質情報を通知しておくことにより、基地局装置９００が当該通信端末装置１０００に前記Ｍ１個のチャネルに代わって前記Ｍ２個のチャネルから割り当てを行なう場合に、チャネル割り当ておよび適応変調の効率はＤ１差分受信品質情報よりも低下するが、受信品質情報の情報量を削減することができる。【００９６】
一方、基地局装置９００によるスケジューリングの結果、下りリンクにおいて通信端末装置１０００にとって受信品質の良好な前記Ｍ１個のチャネルも前記Ｍ２個のチャネルも通信端末装置１０００に対して割り当てることができないとき、その他のチャネルに関して、各チャネル内の各サブキャリアの受信品質を表す情報の隣接サブキャリアからの差分値をＤ２差分受信品質情報よりさらに少ないレベル数を用いて粗く表したＤ３差分受信品質情報を通知しておくことにより、基地局装置９００が当該通信端末装置１０００に前記Ｍ１個のチャネルおよび前記Ｍ２個のチャネル以外から割り当てを行なう場合でも、受信品質情報の情報量を最も削減しながら、粗い適応変調により伝送を確保することができる。【００９７】
以上説明したように、本実施形態によれば、通信端末装置からの上りリンクでの受信品質情報の通知情報量を抑えながらも、下りリンクのデータ通信において、通信端末装置における割り当ての要求度が高いチャネルが割り当てられる場合は、通信端末装置における詳細な受信品質情報に基づいた効率的なスケジューリングおよび適応変調による高速な通信を可能とし、通信端末装置における割り当ての要求度が低いチャネルを割り当てざるを得ない場合でも、通信端末装置における粗い受信品質情報に基づいたスケジューリングおよび適応変調を適用することが可能となる。【００９８】
（第３の実施形態）
次に、本発明の第３の実施形態について説明する。図１５および図１６は、それぞれ本実施形態における基地局装置１５００および通信端末装置１６００の概略構成を示すブロック図である。第１の実施形態では、通信端末装置３００におけるチャネルの割り当て要求度に応じて、各チャネル内のサブキャリアの受信品質情報として、それぞれの受信品質を１サブキャリア当たりｂ１ビットで表現されるＬ１個のレベルによって表すＬ１受信品質情報と、ｂ２ビット（ｂ２＜ｂ１）で表現されるＬ２個のレベルによって表すＬ２受信品質情報と、ｂ３ビット（ｂ３＜ｂ２）で表現されるＬ３個のレベルによって表すＬ３受信品質情報から選択する場合について説明した。また、第２の実施形態では、通信端末装置１０００におけるチャネルの割り当て要求度に応じて、各チャネル内のサブキャリアの受信品質情報として、最初のチャネルの最初のサブキャリアに関する受信品質測定結果を表す情報と、他のサブキャリアに関しては、受信品質を表す情報の隣接サブキャリアからの差分値をｂ１’ビットで表現されるＤ１個のレベルによって表すＤ１差分受信品質情報と、上記差分値をｂ２’ビットで表現されるＤ２個のレベルによって表すＤ２差分受信品質情報と、上記差分値をｂ３’ビットで表現されるＤ３個のレベルによって表すＤ３差分受信品質情報から選択する場合について説明した。【００９９】
本実施形態における通信端末装置１６００は、各チャネル内のサブキャリアに関する受信品質情報として、受信品質測定結果を表す非差分受信品質情報と、受信品質を表す情報の隣接サブキャリアからの差分値を表す差分受信情報とを、各チャネルの割り当て要求度に応じて異なる頻度で組み合わせて選択する。本実施形態における基地局装置１５００の機能ブロックのうち、基地局装置９００の受信品質情報記憶部９１３に相当する受信品質情報記憶部１５１３が、第２の実施形態とは異なる。また、本実施形態における通信端末装置１６００は、通信端末装置１０００の受信品質情報生成部１００９に相当する受信品質情報生成部１６０９が第２の実施形態とは異なる。基地局装置および通信端末装置のその他の構成は第２の実施形態（図１０、図１１）と同様であり、その説明は省略する。【０１００】
図１５に示す基地局装置１５００において、受信品質情報記憶部１５１３は、デマッピング部２１１が分離した各通信端末装置から通知された受信品質情報を基にして、非差分受信品質情報が通知されている各サブキャリアに関するその非差分受信品質情報を起点として、差分受信品質情報が通知されている各サブキャリアに関するその差分受信品質情報に対応づけられた差分値を順次加算していくことによって、各サブキャリアに関する受信品質を表す情報を復元し、通信端末装置毎に記憶し、スケジューリング部２１４へ出力する。【０１０１】
また、図１６に示す通信端末装置１６００において、受信品質情報生成部１６０９は、受信品質測定部３０８から出力された各サブキャリアにおける受信品質測定結果に基づいて各チャネルの要求順位を決定し、各チャネルの要求順位に応じて非差分受信品質情報を通知するサブキャリアを選択し、それら非差分受信品質情報を通知するサブキャリアに関しては受信品質測定結果を表す情報を非差分受信品質情報として生成し、上記以外のサブキャリアに関しては前記非差分受信品質情報を起点として当該サブキャリアに関する受信品質測定結果の隣接サブキャリアからの差分値をそれぞれ算出し、非差分受信品質情報よりも少ないレベル数（差分値のビット数）を用いて前記差分値を表す差分受信品質情報を生成し出力する。【０１０２】
図１７は、通信端末装置１６００における受信品質情報生成部１６０９の概略構成を示すブロック図である。受信品質測定部３０８から出力された各サブキャリアの受信品質測定結果が、受信品質平均部１０４１および減算部１６４３へ入力される。受信品質平均部１０４１は、チャネル毎に、各チャネルに属する全サブキャリアに関する受信品質測定結果の平均値（各チャネルの受信品質平均値）を算出し出力する。要求度決定部１０４２は、受信品質平均部１０４１から出力された各チャネルの受信品質平均値の良好な順、すなわち基地局装置に対して割り当てを要求する順に各チャネルを順位付けし、各チャネルの順位を出力する。減算部１６４３は、各サブキャリアの受信品質測定結果から累積部１６４５が出力する累積値を減算した差分値を算出し出力する。【０１０３】
選択生成部１６４４は、要求度決定部１０４２で決定された各チャネルの順位に基づいて、チャネル内の各サブキャリアに関する受信品質測定結果を非差分受信品質情報と差分受信品質情報のどちらで通知するかを選択し、非差分受信品質情報で通知することを選択したサブキャリアに関しては、受信品質測定部３０８から出力された受信品質測定結果を、ｂ０ビット（ｂ０は自然数）で表現されるＬ０個のレベルで量子化して受信品質情報（以下、「Ｌ０受信品質情報」と呼称する。）として出力する。また、差分受信品質情報で通知することを選択したサブキャリアに関しては、減算部１６４３から入力されたそれぞれの差分値を、ｂ０’ビット（ｂ０’＜ｂ０を満たす自然数）で表現されるＤ０個のレベルによって表すＤ０差分受信品質情報を生成し出力する。さらに、各チャネルで選択した差分受信品質情報の種類を識別する情報を前記受信品質情報に付加する。または各チャネルの割り当て要求度に関する情報を付加しても良い。【０１０４】
累積部１６４５は、選択生成部１６４４が生成した受信品質情報が入力され、非差分受信品質情報が入力された場合は、累積値をその非差分受信品質情報が表す値に設定し、差分受信品質情報が入力された場合は、その差分受信品質情報が表す差分値を前記累積値に加算し、前記累積値を出力する。【０１０５】
図１８Ａおよび図１８Ｂは、受信品質情報生成部１６０９（および受信品質測定部３０８）における受信品質情報生成の動作の一例を示すフローチャートである。図１８Ａおよび図１８Ｂでは、全チャネル数がＮｃｈ、各チャネルに含まれるサブキャリア数がＮｓｃであり、全チャネルのうち受信品質の良い方からＭ１個のチャネルについては、Ｔ１個おきのサブキャリアについてＬ０受信品質情報を生成し、それ以外のサブキャリアについては各サブキャリアの受信品質測定結果から累積部１６４５が出力する累積値を減算した差分値からＤ０差分受信品質情報を生成する。また、その次のＭ２個のチャネルについては、Ｔ２個おきのサブキャリアについてＬ０受信品質情報を生成し、それ以外のサブキャリアについては各サブキャリアにおける前記差分値からＤ０差分受信品質情報を生成し、残りのチャネルについては、Ｔ３個おきのサブキャリアについてＬ０受信品質情報を生成し、それ以外のサブキャリアについては各サブキャリアにおける前記差分値からＤ０差分受信品質情報を生成する場合の例を示している。なおここで、Ｍ１およびＭ２は、
（Ｍ１＋Ｍ２）≦Ｎｃｈ
を満たす正の整数である。【０１０６】
以下、図１８Ａおよび図１８Ｂを用いて受信品質情報生成動作の詳細について説明する。まず、デマッピング部３０６から出力されたパイロットシンボルを用いて、各サブキャリアにおける受信品質を測定し出力する（ステップＳ１８０１）。次に、チャネル毎に、各チャネルに属する全サブキャリアに関する受信品質測定結果の平均値（各チャネルの受信品質平均値）を算出し（ステップＳ１８０２）、算出した各チャネルの受信品質平均値の良好な順に各チャネルを順位付けする（ステップＳ１８０３）。次に、各チャネルについて以下の処理を繰り返す（ステップＳ１８０４〜ステップＳ１８１７のループ４）。【０１０７】
ｊ番目のチャネルの前記順位と、前記チャネルの個数Ｍ１とＭ２とを比較し（Ｓ１８０５）、ｊ番目のチャネルの順位が第Ｍ１位以内の場合、Ｌ０受信品質情報を生成するサブキャリアの間隔ＴをＴ１とする（ステップＳ１８０６）。また、ｊ番目のチャネルの順位が第（Ｍ１＋１）位から第（Ｍ１＋Ｍ２）位の場合、Ｌ０受信品質情報を生成するサブキャリアの間隔ＴをＴ２とする（ステップＳ１８０７）。また、ｊ番目のチャネルの順位が第（Ｍ１＋Ｍ２＋１）位以下の場合、Ｌ０受信品質情報を生成するサブキャリアの間隔ＴをＴ３とする（ステップＳＳ１８０８）。さらに、各チャネルのループの中で各サブキャリアについて以下の処理を繰り返す（ステップＳ１８０９〜ステップＳ１８１６のループ５）。【０１０８】
ｊ番目のチャネルのｋ番目のサブキャリア（ｊ，ｋ）が、チャネル内においてＴ個おきのサブキャリアに位置する（ｋをＴで除した余りが０）場合（ステップＳ１８１０でＹｅｓ）、サブキャリア（ｊ，ｋ）に関する受信品質測定結果をＬ０レベルの受信品質情報へ量子化して出力し（ステップＳ１８１１）、その量子化結果を累積値Ｄｓｕｍに設定する（ステップＳ１８１２）。その他のサブキャリア（ｋをＴで除した余りが０以外）の場合（ステップＳ１８１０でＮｏ）、サブキャリア（ｊ，ｋ）の受信品質測定結果から累積値Ｄｓｕｍを減算した差分値Ｄｄｉｆｆを算出し（ステップＳ１８１３）、Ｄ０差分受信品質情報の中から、前記差分値Ｄｄｉｆｆに最も近い値Ｄｃｑｉを表す差分受信品質情報を選択して出力し（ステップＳ１８１４）、選択した差分受信品質情報の表す値Ｄｃｑｉを累積値Ｄｓｕｍに加算する（ステップＳ１８１５）。【０１０９】
図１９は、本実施形態における受信品質情報の生成結果の一例を示した図である。図１９では、非差分受信品質情報として受信品質測定結果を１６レベル（Ｌ０＝１６，ｂ０＝４）で量子化したＬ０受信品質情報を用い、差分受信品質情報として図９Ｂの例に示したうちのＤ２差分受信品質情報（Ｄ０＝４，ｂ０’＝２）と同じものをＤ０差分受信品質情報として用い、全チャネル数が８（Ｎｃｈ＝８）、各チャネルに含まれるサブキャリア数が４、割り当て要求度の高い方から２個のチャネル（Ｍ１＝２）については、全サブキャリアでＬ０受信品質情報を通知し（Ｔ１＝１）、次に割り当て要求度の高い２個のチャネル（Ｍ２＝２）については２サブキャリア毎にＬ０受信品質情報を通知し（Ｔ２＝２）、残りの４個のチャネル（Ｎｃｈ−Ｍ１−Ｍ２＝４）については４サブキャリア毎にＬ０受信品質情報を通知する（Ｔ３＝４）とした場合の例である。【０１１０】
図１９のグラフ中の点線は、受信品質測定部３０８において測定された受信品質測定結果であるＳＩＮＲ（左側の縦軸）を表し、一点鎖線は、各チャネルにおける全サブキャリアに関する受信品質測定結果の平均値を表す。また、実線は、生成された各サブキャリアにおけるＬ０受信品質情報または累積値（右側の縦軸）を表している。この一点鎖線で示された各チャネル内の受信品質平均値の良好な順に各チャネルの順序付けを行ない、第Ｍ１位以内、すなわち第１位のチャネル４と第２位のチャネル５においては、全てのサブキャリアについてＬ０受信品質情報を生成する。また、第（Ｍ１＋１）位から第（Ｍ１＋Ｍ２）位、すなわち第３位のチャネル２と第４位のチャネル１においては、１番目と３番目のサブキャリアについてはＬ０受信品質情報を生成し、２番目と４番目のサブキャリアについてはそれぞれ１番目と３番目のサブキャリアのＬ０受信品質情報からの差分値を基に選択したＤ０差分受信品質情報を生成する。また、その他の第（Ｍ１＋Ｍ２＋１）位以下の各チャネル（チャネル３、チャネル６、チャネル７およびチャネル８）においては、１番目のサブキャリアについてはＬ０受信品質情報を生成し、２番目から４番目のサブキャリアについては隣接サブキャリアにおける累積値（２番目のサブキャリアでは１番目のサブキャリアのＬ０受信品質情報となる）からの差分値を基に選択したＤ０差分受信品質情報を生成する。【０１１１】
図１９の例では、全てのサブキャリアの受信品質情報をＬ０レベルの受信品質情報で生成した場合に必要なビット数１２８ビット（チャネル数８×チャネル内サブキャリア数４×サブキャリア当たりの受信品質情報ビット数４）に対して、本実施形態では９６ビットとなっている。また、受信品質の良好な所定数のチャネルに関してのみ受信品質情報を生成する場合に対して、本実施形態では全チャネルの全サブキャリアに関する受信品質情報が含まれている。【０１１２】
このように、本実施形態によれば、通信端末装置１６００から基地局装置１５００へ受信品質情報を通知する際に、通信端末装置１６００が基地局装置１５００に下りリンクの割り当てを要求するチャネルの優先度（要求度）に応じて、非差分受信品質情報を通知するサブキャリアを選択し、それら非差分受信品質情報を通知するサブキャリアに関しては受信品質測定結果を表す情報を非差分受信品質情報として通知する。また、上記以外のサブキャリアに関しては前記非差分受信品質情報を起点として当該サブキャリアに関する受信品質測定結果の隣接サブキャリアからの差分値をそれぞれ算出し、非差分受信品質情報よりも少ないレベル数（差分値のビット数）を用いて前記差分値を表す差分受信品質情報を通知する。【０１１３】
そのため、下りリンクにおいて通信端末装置１６００にとって受信品質の最も良好な方からＭ１個のチャネルに含まれる、すなわち、基地局装置１５００に対して通信端末装置１６００が割り当てを要求する優先度が高いＭ１個のチャネルに関しては、受信品質を表す情報を多くのレベル数を用いて詳細に表したＬ０受信品質情報で通知するサブキャリア数を多くすることにより、基地局装置１５００が当該通信端末装置１６００に対して前記Ｍ１個のチャネルから割り当てを行なう場合に、効率的なチャネル（その中のリソースブロック）割り当ておよび適応変調を行なうことが可能となり、より高速な伝送を実現することができる。【０１１４】
さらに、基地局装置１５００によるスケジューリングの結果、下りリンクにおいて通信端末装置１６００にとって受信品質の最も良好な前記Ｍ１個のチャネルが通信端末装置１６００に対して割り当てることができないとき、前記Ｍ１個のチャネルに次いで受信品質の良好なＭ２個のチャネル、すなわち、前記Ｍ１個のチャネルに次いで割り当てを要求する優先度の高いＭ２個のチャネルに関しては、前記Ｌ０受信品質情報を通知するサブキャリア数を前記Ｍ１個のチャネルよりも少なくし、残りのサブキャリアについて隣接サブキャリアからの差分値をＬ０受信品質情報より少ないレベル数を用いて表したＤ０差分受信品質情報を通知する。これにより、基地局装置１５００が当該通信端末装置１６００に前記Ｍ１個のチャネルに代わって前記Ｍ２個のチャネルから割り当てを行なう場合に、チャネル割り当ておよび適応変調の効率は前記Ｍ１個のチャネルよりも低下するが、受信品質情報の情報量を削減することができる。【０１１５】
一方、基地局装置１５００によるスケジューリングの結果、下りリンクにおいて通信端末装置１６００にとって受信品質の良好な前記Ｍ１個のチャネルも前記Ｍ２個のチャネルも通信端末装置１６００に対して割り当てることができないとき、その他のチャネルに関して、前記Ｌ０受信品質情報を通知するサブキャリア数をさらに減らし、残りのサブキャリアについて隣接サブキャリアからの差分値を前記Ｄ０差分受信品質情報で通知する。これにより、基地局装置１５００が当該通信端末装置１６００に前記Ｍ１個のチャネルおよび前記Ｍ２個のチャネル以外から割り当てを行なう場合でも、受信品質情報の情報量を最も削減しながら、粗い適応変調により伝送を確保することができる。【０１１６】
以上説明したように、本実施形態によれば、通信端末装置からの上りリンクでの受信品質情報の通知情報量を抑えながらも、下りリンクのデータ通信において、通信端末装置における割り当ての要求度が高いチャネルが割り当てられる場合は、通信端末装置における詳細な受信品質情報に基づいた効率的なスケジューリングおよび適応変調による高速な通信が可能となる。また、通信端末装置における割り当ての要求度が低いチャネルを割り当てざるを得ない場合でも、通信端末装置における粗い受信品質情報に基づいたスケジューリングおよび適応変調を適用することが可能となる。また、受信品質測定結果が急激に変化する場合、差分値のみを通知すると、累積誤差が大きくなるという懸念があるが、本実施形態によれば、いわゆる生データを通知するので、累積誤差の影響を小さくすることが可能となる。【０１１７】
なお、本実施形態では、各チャネルの割り当ての要求度に応じて、チャネル内の非差分受信品質情報（Ｌ０受信品質情報）を通知するサブキャリア数を選択する例について説明したが、さらに残りのサブキャリアについて生成する差分受信品質情報のレベル数（ビット数）も選択するような構成としても良い。【０１１８】
（第４の実施形態）
上記の各実施形態では、ＯＦＤＭシステムを想定し、チャネルとは１つあるいは複数のサブキャリアを意味するものとして説明した。本実施形態では、ＭＩＭＯ（Multiple Input Multiple Output）−ＯＦＤＭシステムにおける適用方法の一例について、各送信アンテナの１つあるいは複数のサブキャリアをそれぞれチャネルとする場合を説明する。【０１１９】
図２０は、本実施形態における下りリンクのサブフレーム構成の一例を示した図である。基地局装置は、Ａ本（Ａは２以上の整数）の送信アンテナから異なる信号を送信する。サブフレームは、アンテナ１からアンテナＡのそれぞれから送信されるＡ個の領域を含み、各領域はさらに周波数方向にＫ個（Ｋは自然数）の領域に分割されている。このＡ×Ｋ個の領域をそれぞれチャネルとし、このサブフレームを送信単位とし、これを１回のスケジューリング処理においてチャネルの割り当てを行なう範囲とする。また、サブフレームを時間軸方向に所定の時間長ＴＴＩ（Transmission Time Interval）でＴ個（Ｔは自然数）に分割し、１チャネルにおける１ＴＴＩ内をスケジューリングの単位（リソースブロック）とする。【０１２０】
このようなサブフレーム構成のＭＩＭＯ−ＯＦＤＭシステムにおいても、チャネルあるいはリソースブロックという用語の示す領域が異なるのみで、上記各実施形態と同様な処理を適用することができる。【０１２１】
以上のように、サブフレーム内の複数のチャネルを用いて通信を行なうシステムにおいて、各通信端末装置における各チャネルの受信品質が異なる可能性のあるシステムに対して、本発明を適用可能であり、通信端末装置における各チャネルの割り当て要求度に応じて上りリンクでの受信品質情報の詳細度と情報量を選択することにより、効率的なスケジューリングと適応変調を適用することが可能となる。【０１２２】
以上説明したように、上記の各実施形態では、
（１）伝送システムを、マルチキャリア伝送システム（特に、ＯＦＤＭ伝送システム）とし、
（２）チャネル構成を、少なくとも１つのサブキャリアを備えるものとし、
（３）受信品質情報および適応変調の単位を、サブキャリア毎とし、
（４）適応スケジューリング（チャネルの割り当て）を、チャネル毎またはチャネルをさらに時間方向に分割したリソースブロック毎としたセルラーシステムに、受信品質としてパイロットシンボルに基づき算出したＳＩＮＲを用いて本発明を説明した。【０１２３】
しかしながら、本発明の適用できる、変調方式、チャネル構成、受信品質情報および適応変調の単位、適応スケジューリング（チャネルの割り当て）、および受信品質は上記に限定されるものではない。例えば、伝送システムとして拡散技術を用いたＭＣ−ＣＤＭＡ（Multi Carrier-Code Division Multiple Access）システムを、適応変調および適応スケジューリングの単位は、ＭＩＭＯ（Multiple Input Multiple Output）などのＳＤＭＡ（Space Division Multiple Access：空間分割多元接続）において送信アンテナあるいは固有モードが示す複数のチャネル、ＣＤＭＡにおける複数のコードチャネル、あるいはこれらの組み合わせとしてのチャネルなど、複数のチャネルを用いて通信を行なう他のシステムであっても、チャネル毎に受信品質が異なる可能性があるシステムにおいて、本発明を適用することができる。【０１２４】
また、受信品質情報としては、ＲＳＳＩ（Received Signal Strength Indicator）、ＳＮＲ、ＳＩＲ（Signal to Interference power Ratio：受信信号電力対干渉電力比）、ＣＮＲ（Carrier to Noise power Ratio：搬送波電力対雑音電力比）、ＣＩＲ（Carrier to Interference power Ratio：搬送波電力対干渉電力比）、ＣＩＮＲ（Carrier to Interference plus Noise power Ratio：搬送波電力対干渉電力および雑音電力比）、など受信信号電力や搬送波電力に関連して受信品質を示す指標を用いることができる。また、この指標としては、変調方式とチャネル符号化率の組み合わせであるＭＣＳ（Modulation and Coding Scheme）や伝送レートなどの変調パラメータ等の伝搬路状態に応じて選択された変調パラメータなどの伝送速度にかかわる指標であれば何を用いても良い。また、受信品質情報および適応変調の単位は、チャネル内の１以上のサブキャリアからなるサブキャリアグループ毎としても良い。【０１２５】
また、上記各実施形態では、全てのチャネルについて受信品質情報を通知する場合について説明したが、チャネルの割り当て要求度が最も低いチャネルの組については、最も粗い受信品質情報（上記各実施形態における、Ｌ３受信品質情報、Ｄ３差分受信品質情報など）も通知しない、あるいは前記受信品質の平均値のみを通知する構成としても良い。【０１２６】
さらに、上記各実施形態では、各チャネルの順位付けの基準として、チャネル内のサブキャリアの受信品質測定結果の平均値を用いる例について説明したがこれに限定されるものではなく、チャネル内のサブキャリアの受信品質測定結果の中央値、最頻値または最小値などを基準として各チャネルの順位付けを行なっても良い。また、上記各実施形態では、受信品質情報として３種類の異なるビット数、あるいは３種類の異なる非差分受信品質情報と差分受信品質情報の組み合わせで表される受信品質情報について説明したが、２種類以上の異なるビット数あるいは前記組み合わせで表される受信品質情報をチャネルの割り当て要求度によって選択するような通信端末装置に対して適用可能である。【０１２７】
また、上記の各実施形態では、基地局装置と通信端末装置とから構成されるＦＤＤ（Frequency Division Duplex：周波数分割複信）を採用する通信システムであり、下りリンクの通信においてＯＦＤＭの適応変調システムを想定し、上りリンクの通信ではＯＦＤＭと適応変調は行なわないシステムを想定しているが、これに限定されるものではない。さらに、本発明は、複数の無線通信装置のいずれかがスケジューリング機能と適応変調を実施し、他の無線通信装置が受信品質情報送信機能を実施することができる関係にある無線通信装置同士へ適用することができる。【０１２８】
なお、二つの無線通信装置間で、チャネルの受信品質情報を通知する側（受信品質情報送信機能を有する側）を通信端末装置、通知された受信品質情報に基づいて各通信端末装置への送信データを各チャネルに割り当て適応変調を行なう側（スケジューリング機能を行なう側）を基地局装置として説明したが、一つの無線通信装置が両方の機能を有する場合もあり得る。【０１２９】
本明細書では、通信装置は、無線通信を行なう装置であり、基地局装置、通信端末装置、無線機、携帯通信端末装置、携帯電話等を含む。
【図１】
2009054264.tif 000003
【図２】
2009054264.tif 000004
【図３】
2009054264.tif 000005
【図４】
2009054264.tif 000006
【図５】
2009054264.tif 000007
【図６Ａ】
2009054264.tif 000008
【図６Ｂ】
2009054264.tif 000009
【図７Ａ】
2009054264.tif 000010
【図７Ｂ】
2009054264.tif 000011
【図８】
2009054264.tif 000012
【図９Ａ】
2009054264.tif 000013
【図９Ｂ】
2009054264.tif 000014
【図９Ｃ】
2009054264.tif 000015
【図１０】
2009054264.tif 000016
【図１１】
2009054264.tif 000017
【図１２】
2009054264.tif 000018
【図１３Ａ】
2009054264.tif 000019
【図１３Ｂ】
2009054264.tif 000020
【図１４】
2009054264.tif 000021
【図１５】
2009054264.tif 000022
【図１６】
2009054264.tif 000023
【図１７】
2009054264.tif 000024
【図１８Ａ】
2009054264.tif 000025
【図１８Ｂ】
2009054264.tif 000026
【図１９】
2009054264.tif 000027
【図２０】
2009054264.tif 000028
【国際調査報告】
2009054264.tif 000029
2009054264.tif 000030
2009054264.tif 000031
2009054264.tif 000032